(57)【要約】【課題】容器との確実な結合機能と、取外し操作部を積極的に押圧した場合の結合解除機能とを併せ持つ新たなカバー体構造を提供することを目的とする。【解決手段】カバー体１０は、その取外し操作用の押圧部１１ｂを持つ外側筒状部１１、および容器側との嵌合用の突状部１２ｃを持つ内側筒状部１２からなる。押圧部１１ｂを内側・上方に押すと、外側筒状部１１の内向きリブ１１ａが変位して内側筒状部１２の（容器側と嵌合していない）張出部１２ａを内側に変形させる。これに応じて薄肉部１２ｂが外側に変形して、当該薄肉部の嵌合力が弱くなる。また、押圧部１１ｂの側の下端部分は容器の肩斜面５１ａに案内されて上動し、カバー体１０は当該押圧部とは反対側の下端部分１１ｄと肩斜面５１ａとの当接部分を軸に図示の時計方向に回動する。薄肉部１２ｂの変形作用にこの回動作用が相乗する形で、カバー体１０は容器５０から取り外される。【選択図】　　図２
2004043004.tif 000002
【特許請求の範囲】
【請求項１】
容器側と結合する内側筒状部、および当該内側筒状部と一体の外側筒状部を少なくとも有するカバー体において、
前記内側筒状部の一部である第１の周方向範囲を、前記容器側の結合対象部分に対する張出部の態様で形成し、
前記内側筒状部の、前記容器側との結合部分の一部である第２の周方向範囲を、これに続く他の当該結合部分に比べて変形しやすい態様で形成し、
前記外側筒状部の内周面側に、前記張出部と対向するリブ状部を形成し、
前記外側筒状部に対するカバー体の取外し操作の際、前記リブ状部が内側に変位して前記張出部を押圧し、これに基づき前記内側筒状部の前記第１の周方向範囲が内側に、前記第２の周方向範囲が外側にそれぞれ変形する、
ことを特徴とする容器取付用カバー体。
【請求項２】
前記内側筒状部の前記第２の周方向範囲を薄肉部の態様で形成した、
ことを特徴とする請求項１記載の容器取付用カバー体。
【請求項３】
請求項１および２記載の容器取付用カバー体を備え、かつ、放出用ガスおよび内容物を収容したエアゾール式製品。
【請求項４】
請求項１および２記載の容器取付用カバー体を備え、かつ、内容物を収容したポンプ式製品。
【発明の詳細な説明】
【０００１】
【発明の属する技術分野】
本発明は、容器側と結合する内側筒状部、および当該内側筒状部と一体の外側筒状部を少なくとも備えた容器取付用カバー体に関し、特別の工具などを用いることなしに容器との分別処理を行なえるようにしたものである。
【０００２】
種々のカバー体が対象であり、例えば合成樹脂製のカバー体，ファイバー製のカバー体，ガラス製のカバー体や、アルミニウム・ブリキ・ステンレスなどの各種金属製のカバー体などを対象とする。
【０００３】
また、このカバー体を用いる容器は、例えば金属製，合成樹脂製で、エアゾール式製品やポンプ式製品などの各種容器である。
【０００４】
なお、本明細書において用いる「ポンプ式」とは、利用者が、操作部や、容器の一部（周面部分など）などを例えば押圧することにより内容物収納空間の容積が小さくなって、その中の内容物が外部空間に放出される方式を示しており、いわゆる押出式，チューブ式なども含む概念である。
【０００５】
カバー体はもともと容器に強く結合した状態に設定されており、容器自体の転倒や、利用者が無意識にカバー体を軽く押した程度では、カバー体が容器から外れないようになっている。
【０００６】
その一方で、環境の保全や資源の再利用がより重要視されている今日、内容物を使いきってカバー体および容器を分別して個々に廃棄したり再利用するときなどには、所定の取外し操作で両者の結合状態を比較的容易に解除できることが望ましく、本発明はこのような要請に応えるものである。
【０００７】
【従来の技術】
運送時，陳列時，使用時などにおけるカバー体と容器との十分な結合状態を確保しつつ、全内容物の略消尽後などの、この両者の分別作業の簡単化を図れるようにしたカバー体構造を、本件出願人はすでに特願２００１−２５０３５５号で提案している。
【０００８】
この出願に係るカバー体は、概略、
・容器のマウンテンキャップ下側の環状凹部と嵌合し、かつ、周方向の一部分を欠落させた内側筒状部
・この内側筒状部と一体の外側筒状部
・この外側筒状部に、それぞれの先端部分が内側筒状部の周方向端部側の外周面と対向する態様で、形成した一対の内向きリブ
・この外側筒状部の所定部分（内側筒状部の前記欠落範囲と対向する部分）の外周面に形成した突状操作部
などを備えている。なお、内向きリブの先端部分は内側筒状部には接続されていない。
【０００９】
このカバー体を容器から取り外すには、当該カバー体の外側筒状部の突状操作部を内側・上方に意識して強く押圧する。
【００１０】
この押圧操作により、
（１）　先ず、当該押圧部分が内側筒状部の方に変位して、外側筒状部の内向きリブの先端部分が当該内側筒状部の周方向端部側の外周面に当接し、
（２）　この当接後も、強い当該押圧力が突状操作部・内向きリブを介して外側筒状部および内側筒状部に積極的に作用する。
【００１１】
この作用により、
・外側筒状部は、上記押圧方向の径が少しだけ小さくなる態様で略楕円状に変形し、
・この外側筒状部の変形に応じて、当該外側筒状部と一体の内側筒状部も同じように変形する。
【００１２】
その結果、内側筒状部の当該変形部分と容器側の環状凹部５２ａとの嵌合の程度が小さくなる。
【００１３】
また、
・外側筒状部（突状操作部）の下端側が容器本体の肩斜面に案内されながら内方に移動することにより、当該下端側はこの肩斜面から上方向成分の力を受け、
・さらには、突状操作部は利用者の押圧操作自体によっても上方向成分の力を受ける。
【００１４】
このように内側筒状部が略楕円状に変形したり、外側筒状部の突状操作部側が上方向に変位することにより、当該内側筒状部と容器（マウンテンキャップ）との嵌合状態は、当該変形により最初に嵌合の程度が小さくなる部分をいわば取っかかりにして、解除されていく。これにより、カバー体をの容器本体から分離することができる。
【００１５】
なお、突状操作部の意識的な押圧操作ではなく、容器使用者が無意識に突状操作部を押圧した場合は、その時間も短く、その押圧力も本来の取外し操作時のそれより小さいことが一般的である。
【００１６】
したがって、実用的には、この無意識な突状操作部の押圧によりエアゾール式容器やポンプ式容器などの使用中にそのカバー体が外れることはない。このことは本発明のカバー体にもあてはまる。
【００１７】
【発明が解決しようとする課題】
この容器取付用カバー体は、利用者などが外側筒状部の突状操作部を内側に積極的に押圧することにより、容器から外れるため、容器内容物の略消尽後の分別処理や再利用に適している。
【００１８】
本発明では、以上の容器取付用カバー体とは異なる技術コンセプトにより、容器との確実な結合状態を確保する機能と、所定の取外し操作部を積極的に押圧した場合には当該結合状態を解除する機能とをあわせもつ新たな構造のものを提供し、容器取付用カバー体についての技術の多様化を図ることを目的とする。
【００１９】
【課題を解決するための手段】
本発明は、この課題を次のようにして解決する。
（１）容器側と結合する内側筒状部（例えば後述の内側筒状部１２）、および当該内側筒状部と一体の外側筒状部（例えば後述の外側筒状部１１）を、少なくとも有するカバー体（例えば後述のカバー体１０）において、前記内側筒状部の一部である第１の周方向範囲を、前記容器側の結合対象部分に対する張出部（例えば後述の張出部１２ａ）の態様で形成し、前記内側筒状部の、前記容器側との結合部分（例えば後述の突状部１２ｃ）の一部である第２の周方向範囲（例えば後述の範囲Ｓ）を、これに続く他の当該結合部分に比べて変形しやすい態様で形成し、前記外側筒状部の内周面側に、前記張出部と対向するリブ状部（例えば後述の内向きリブ１１ａ）を形成し、前記外側筒状部に対するカバー体の取外し操作の際、前記リブ状部が内側に変位して前記張出部を押圧し、これに基づき前記内側筒状部の前記第１の周方向範囲が内側に、また、前記第２の周方向範囲が外側にそれぞれ変形するように構成する。
（２）上記（１）において、前記第２の周方向範囲を薄肉部（例えば後述の薄肉部１２ｂ）の態様で形成する。
【００２０】
本発明は、先に提案した容器取付用カバー体と同じように、容器使用中における利用者の無意識な取り外し操作と、使用済み容器に対するカバー体の意識的な取り外し操作とでは、利用者のカバー体に対する押圧力や押圧時間に大きな違いが生じやすい（前者の押圧力，　押圧時間≪後者の押圧力，押圧時間）ことを前提としている。
【００２１】
本発明は、上記（１）のように、外側筒状部および内側筒状部からなるカバー体を容器から取り外すために当該外側筒状部を操作した際、その内周面側のリブ状部で当該内側筒状部の一部である（容器とは結合していない）張出部が押されて内側に変形し、かつ、当該内側筒状部の、容器との結合部分の一部である所定範囲が外側に変形しやすい態様のものとし、これによりカバー体と容器との本来の結合状態を確保するとともに、カバー体取外し操作時の結合解除動作の確実化や作業負担の低減化を担保するための技術の豊富化を図っている。
【００２２】
内側筒状部の前記所定範囲の態様としては、当該内側筒状部のその他の周方向部分に比べて、
・上記（２）のように薄肉部を形成する
・複数の孔部を形成するなどして剛性を小さくする
・変位しやすい材質を用いる
などがある。これにより内側筒状部自体のいわば変形能力を高めている。
【００２３】
エアゾール式容器やポンプ式容器などの使用者が無意識に取外し操作部を押圧した場合、本来の意識的な取外し操作に比べて、その押圧力は小さく、その押圧時間も短いことが一般的である。そのため、内側筒状部の変形作用の程度も小さく、カバー体が容器から外れてしまうには至らない。
【００２４】
なお、カバー体を容器本体に取り付けたときの、内側筒状部と容器側との結合の程度は従前のままである。
【００２５】
本発明は、以上の特徴を持つ容器取付用カバー体を対象とするとともに、このカバー体を備えたエアゾール式製品やポンプ式製品なども対象にしている。
【００２６】
【発明の実施の形態】
図１乃至図５を参照して本発明の実施の形態を説明する。なお、図３〜図５の各断面の破断線は図１（ａ）のＡ−Ａ’線と同一である。
【００２７】
以下の実施の形態では、説明の便宜上、カバー体の内側筒状部の一部（容器と結合している部分の一部）を薄肉状に形成する場合を前提とする。
【００２８】
図１は、押釦別体型のカバー体（その１）の説明図であり、（ａ）はカバー体のみの底面図，（ｂ）はカバー体および押釦を容器に結合させた状態の一部断面図を示している。この断面図は破断線Ａ−Ａ′に対応している。
【００２９】
図２は、図１のカバー体を容器から取り外すときの両者の過渡的な嵌合状態を示す説明図であり、それぞれ図１の（ａ），（ｂ）に対応している。
【００３０】
図３は、押釦別体型のカバー体（その２）を容器から取り外すときの両者の過渡的な嵌合状態を示す説明図である。
【００３１】
図４は、押釦一体型のカバー体を容器から取り外すときの両者の過渡的な嵌合状態を示す説明図である。
【００３２】
図５は、スパウトを容器から取り外すときの両者の過渡的な嵌合状態を示す説明図である。
【００３３】
図１乃至図５において、
１０は押釦別体型のカバー体，
２０は押釦別体型で後述の保護部２３を設けたカバー体，
３０は押釦一体型で後述の保護部２３を設けたカバー体，
４０はスパウト形式のカバー体，
１１〜４１は外側筒状部，
１１ａ〜４１ａは当該外側筒状部の内周面に（後述の内側筒状部から分離される態様で）形成した内向きリブ，
１１ｂ〜４１ｂは当該内向きリブを形成した部分の外周面側の押圧部，
１１ｃは外側筒状部１１の下端部分と容器の肩斜面との例えば０ｍｍ〜２．０ｍｍ　ほどの隙間，
ｌｌｄ〜４１ｄは当該外側筒状部の当該押圧部とは反対側の下端部分，
１２〜４２は上端側で当該外側筒状部と一体になっている内側筒状部，
１２ａ〜４２ａは当該内側筒状部の一部で薄肉態様の張出部，
１２ｂ〜４２ｂは当該内側筒状部の一部でカバー体１０〜４０の取外し操作時に外側に変形しやすい薄肉部，
１２ｃ〜４２ｃは当該内側筒状部の一部で後述のマウンテンキャップ５２と嵌合する突状部，
１２ｄ〜４２ｄは当該突状部の周方向端部，
１３は内容物放出用の押釦，１３ａは放出口，１３ｂは内容物の通路，１３ｃは後述のステム５３との結合部，
２３，３３は当該押釦の保護部，２３ａ，３３ａは保護部上側の開口部，
３４はカバー体３０と押釦１３とを接続するヒンジ作動片，
４３はスパウト４０の上面部，
４４は内容物放出用の操作部
４５は内容物放出用のノズル，４５ａは放出口，
４６は後述のステム５３との結合部，
４７は操作部４４やノズル４５を上面部４３に接続するヒンジ作動片，
５０は内容物や放出用ガスなどを収納する容器，
５１は容器本体，５１ａは肩斜面，
５２はマウンテンキャップ，５２ａは各カバー体の内側筒状部と嵌合する下側環状凹部，
５３はステム，
をそれぞれ示している。なお、隙間１１ｃを形成するかどうかは任意である。
【００３４】
図示のように、内側筒状部１２〜４２の張出部１２ａ〜４２ａおよび薄肉部１２ｂ〜４２ｂの各上側部分は薄肉形態ではない。
【００３５】
ここで、内側筒状部１２〜４２は、その張出部１２ａ〜４２ａ以外の図示の部分にマウンテンキャップ５２との嵌合用の突状部１２ｃ〜４２を備えている。
【００３６】
また、薄肉部１２ｂは、図１のＳの範囲、すなわち外側筒状部１１の内向きリブ１１ａとカバー体の中心とを結ぶ線分を、当該中心を軸にして図面上の時計方向および反時計方向に略４５度〜９０度だけ回した範囲、に設定されている。他の内側筒状部２２〜４２のそれぞれの薄肉部の設定範囲も同様である。
【００３７】
内側筒状部１２の厚みは、例えば、
・薄肉態様でない本来の部分が　１．１ｍｍ
・薄肉部１２ｂ（の下側部分）が　０．８ｍｍ
・張出部１２ａ（の下側部分）が　０．５ｍｍ
である。他の内側筒状部２２〜４２のそれぞれの厚みも同様である。
【００３８】
外側筒状部の各内向きリブ１１ａ〜４１ａの端部のそれぞれと（これに対向する）内側筒状部１２〜４２の各張出部とは　０．５ｍｍ〜１．０ｍｍ　ほど離れている。
【００３９】
また、各張出部１２ａ〜４２ａの個々の中心角度（内側筒状部の中心と、当該張出部の周方向端部のそれぞれとを結ぶ線分間の角度）は約３６度である。
【００４０】
プラスチック製のカバー体を用いる場合の材質はポリプロピレン，ポリエチレンなどであり、プラスチック製の容器本体を用いる場合の材質はＰＥＴなどである。カバー体および容器本体がともにプラスチック製であっても、例えばポリプロピレンとＰＥＴとの組み合わせの場合には分別廃棄が望ましい。
【００４１】
図１乃至図５のカバー体１０，２０，３０，４０は、いずれもマウンテンキャップ５２の下側環状凹部５２ａと嵌合する突状部１２ｃ〜４２ｃを設けた内側筒状部１２〜４２、および、これと一体の外側筒状部１１〜４１を備えている。
【００４２】
そして、
・外側筒状部１１〜４１の内周面にカバー体取外し作動用の内向きリブ１１ａ〜４１ａを形成し、
・内側筒状部１２〜４２の、当該内向きリブと対向する所定範囲を、マウンテンキャップ５２の下側環状凹部５２ａと嵌合しない張出部１２ａ〜４２ａの形に設定し、
・内側筒状部１２〜４２の、当該下側環状凹部と嵌合する部分の一部（図１のＳの範囲）を、各カバー体の取外し操作時に外側に変形しやすい薄肉部１２ｂ〜４２ｂの形に設定し、
・外側筒状部１１〜４１の（内向きリブ１１ａ〜４１ａと対応した）外周面をカバー体取外し操作用の押圧部１１ｂ〜４１ｂとしている。
【００４３】
そのため、カバー体１０〜４０を容器５０から分別する際にこの押圧部１１ｂ〜４１ｂを積極的に内側・上方に押すことにより、図２に示すように、
・内向きリブ１１ａ〜４１ａの先端部が内側筒状部１２〜４２の張出部１２ａ〜４２ａの外周面に当接し、
・張出部１２ａ〜４２ａが内向きリブ１１ａ〜４１ａからの押圧力により内側方向に撓み（変形し）、
・薄肉部１２ｂ〜４２ｂが当該撓みに応じて外側方向に変形する。
【００４４】
この変形により、内側筒状部１２〜４２の薄肉部１２ｂ〜４２ｂとマウンテンキャップ５２の下側環状凹部５２ａとの嵌合部分は、嵌合作用が弱くなり、またその一部が嵌合状態から離脱することもある。その結果、各カバー体１０〜４０はこの嵌合部分をとっかかりにして容器本体５１から外れやすくなる。
【００４５】
本発明では、このように、カバー体の内側筒状部１２〜４２と容器本体側のマウンテンキャップ５２との嵌合部分の一部範囲の嵌合力を弱くした上で、カバー体と容器本体との分別化を図ることを基本にしている。
【００４６】
一方、外側筒状部１１〜４１の押圧部１１ｂ〜４１ｂの下端側は容器本体５１の肩斜面５１ａを摺動するので、当該外側筒状部の当該押圧部側の部分が上動する。
【００４７】
このとき、カバー体１０〜４０の全体が、外側筒状部１１〜４１の押圧部１１ｂ〜４１ｂとは反対側の下端部分１１ｄ〜４１ｄと容器本体５１の肩斜面５１ａとの当接部をいわば支点としたテコ作用で、図示時計方向に回動する。
【００４８】
この各カバー体の回動作用も加わることで、カバー体と容器本体との分別化作業がより簡単で確実なものとなる。
【００４９】
図２は、カバー体１０を容器５０から分別するときの過渡状態を示している。この場合、作業者は先ず押釦１３を上方向に引き上げるなどして容器５０から取り外す。次に、カバー体１０の押圧部１１ｂを意識的に矢印方向に押圧する。
【００５０】
この押圧操作により、上述のように、
・内側筒状部１２の薄肉部１２ｂの筒状部外側方向への変形作用
・外側筒状部１１の押圧部１１ｂの肩斜面上方向への摺動作用
が生じる。
【００５１】
そのため、薄肉部１２ｂとマウンテンキャップ５２との嵌合力が小さくなってカバー体１０は容器本体５１から外れやすい状態になる。
【００５２】
また，押圧部１１ｂの側の上記摺動作用により、カバー体１０が外側筒状部１１の下端部分１１ｇと肩斜面５１ａとの当接部を支点にして図示時計方向に回動することもあいまって、カバー体１０は容器５０から比較的簡単に外れる。
【００５３】
図３のカバー体２０を容器５０から分別するには、
・カバー体２０の開口部２３ａから指を入れるなどして押釦１３を上方向に引き上げ、
・押釦１３の結合部１３ｃとステム５３との嵌合を解除し、
・押釦１３を開口部２３ａからカバー体２０の外側に取り出し、
・カバー体２０の押圧部２１ｂを意識的に矢印の方向に押圧すればよい。
【００５４】
この押圧操作により、図２の場合と同じように、
・内側筒状部２２の薄肉部２２ｂの筒状部外側方向への変形作用
・外側筒状部２１の押圧部２１ｂの肩斜面上方向への摺動作用、すなわちカバー体２０の（外側筒状部２１の下端部分２１ｇと肩斜面５１ａとの当接部を支点にした）図示時計方向への回動作用
が生じて、カバー体２０は容器５０から比較的簡単に外れる。
【００５５】
図４のカバー体３０を容器５０から分別するには、押圧部３１ｂを意識的に矢印の方向に押圧すればよい。
【００５６】
この押圧操作により、図２の場合と同じように、
・内側筒状部３２の薄肉部３２ｂの筒状部外側方向への変形作用
・外側筒状部３１の押圧部３１ｂの肩斜面上方向への摺動作用、すなわちカバー体３０の（外側筒状部３１の下端部分３１ｇと肩斜面５１ａとの当接部を支点にした）図示時計方向への回動作用
が生じて、カバー体２０は容器５０から比較的簡単に外れる。
【００５７】
このとき、ヒンジ作動片３４によりカバー体３０と接続されている押釦１３も同じように回動するので、ステム結合部１３ｃとステム５３との結合状態も解除される。
【００５８】
このように、カバー体３０の押圧部３１ｂを矢印の方向に押すといった一回の操作で押釦一体型の当該カバー体を容器５０から取り外すことができる。
【００５９】
なお、開口部３３ａから指を入れるなどして押釦１３をヒンジ作動片３４を支点に図示時計方向に回動させ、押釦１３のステム結合部１３ｃがステム５２の上端部に乗っかる程度に押釦１３とステム５２との結合をあらかじめ弱めた状態で、カバー体３０の押圧部３１ｂを矢印の方向に意識的に押圧してもよい。
【００６０】
図５のスパウト形式のカバー体４０を容器５０から分別するには、当該カバー体の押圧部４１ｂを矢印の方向に意識的に押圧すればよい。
【００６１】
この押圧操作により、図２の場合と同じように、
・内側筒状部４２の薄肉部４２ｂの筒状部外側方向への変形作用
・外側筒状部４１の押圧部４１ｂの肩斜面上方向への摺動作用、すなわちカバー体４０の（外側筒状部４１の下端部分４１ｇと肩斜面５１ａとの当接部を支点にした）図示時計方向への回動作用
が生じて、カバー体４０は容器５０から比較的簡単に外れる。
【００６２】
このとき、カバー体４０の上面部４３とヒンジ作動片４７により接続しているノズル４５や操作部４４なども同じように回動するので、ステム結合部４６とステム５３との嵌合も解除される。
【００６３】
このように、カバー体４０の押圧部４１ｂを矢印の方向に押すといった一回の操作で当該カバー体を容器５０から取り外すことができる。
【００６４】
以上の各種カバー体を用いたエアゾール式製品，ポンプ式製品などとしては、洗浄剤，清掃剤，制汗剤，忌避剤（殺虫剤），医薬品，医薬部外品，化粧品，洗濯のりなどがある。
【００６５】
エアゾール式製品やポンプ式製品などの内容物は、金属塩類粉末，無機物粉末や樹脂粉末などを用いる。例えばタルク，カオリン，アルミニウムヒドロキシクロライド（アルミ塩），硫酸バリウム，セルロース，これらの混合物などである。また、紫外線吸収剤，油性原料，界面活性剤，保湿剤，高分子化合物，酸化防止剤，金属イオン封鎖剤なども用いる。
【００６６】
エアゾール式製品の放出用ガスには、ＬＰＧ，ジメチルエーテル，フルオロカーボン，炭酸ガス，窒素ガス，圧縮空気，酸素，希ガス，これらの混合ガスなどを用いる。
【００６７】
【発明の効果】
本発明は、このように、外側筒状部および内側筒状部からなるカバー体を容器から取り外すために当該外側筒状部を操作した際、その内周面側のリブ状部で当該内側筒状部の一部である（容器とは結合していない）張出部が押されて内側に変形し、かつ、当該内側筒状部の、容器との結合部分の一部である所定範囲が外側に変形しやすい態様のものとしているので、カバー体と容器との本来の結合状態を確保するとともに、カバー体取外し操作時の結合解除動作の確実化や作業負担の低減化を担保するための技術の豊富化を図ることができる。
【図面の簡単な説明】
【図１】本発明の、押釦別体型のカバー体（その１）の説明図である。（ａ）はカバー体のみの底面図，（ｂ）はカバー体および押釦を容器に嵌合させた状態の一部断面図をそれぞれ示している。
【図２】本発明の、図１のカバー体を容器から取り外すときの両者の過渡的な嵌合状態を示す説明図である。
【図３】本発明の、押釦別体型のカバー体（その２）を容器から取り外すときの両者の過渡的な嵌合状態を示す説明図である。
【図４】本発明の、押釦一体型のカバー体を容器から取り外すときの両者の過渡的な嵌合状態を示す説明図である。
【図５】本発明の、スパウトを容器から取り外すときの両者の過渡的な嵌合状態を示す説明図である。
【符号の説明】
１０：押釦別体型のカバー体
２０：押釦別体型で保護部付きのカバー体
３０：押釦一体型で保護部付きのカバー体
４０：スパウト形式のカバー体
１１〜４１：外側筒状部
１１ａ〜４１ａ：内向きリブ
１１ｂ〜４１ｂ：押圧部
１１ｃ：隙間
ｌｌｄ〜４１ｄ：押圧部とは反対側の下端部分
１２〜４２：内側筒状部
１２ａ〜４２ａ：薄肉態様の張出部
１２ｂ〜４２ｂ：薄肉部
１２ｃ〜４２ｃ：嵌合用の突状部
１３：押釦
１３ａ：放出口
１３ｂ：内容物の通路
１３ｃ：ステムとの結合部
２３，３３：押釦の保護部
２３ａ，３３ａ：開口部
３４：ヒンジ作動片
４３：上面部
４４：操作部
４５：内容物放出用のノズル
４５ａ：放出口
４６：ステムとの結合部
４７：ヒンジ作動片
５０：容器
５１：容器本体
５１ａ：肩斜面
５２：マウンテンキャップ
５２ａ：嵌合用の環状凹部
５３：ステム
【図１】
2004043004.tif 000003
【図２】
2004043004.tif 000004
【図３】
2004043004.tif 000005
【図４】
2004043004.tif 000006
【図５】
2004043004.tif 000007